(57)【特許請求の範囲】
【請求項１】
床上に組まれた間仕切り壁に矩形の引戸用開口部が形成され、当該引戸用開口部の一部に設けられる引戸の戸袋において、
互いに平行に離間して対向配置された２つの波形鋼板と、
前記２つの波形鋼板の外側に設けられた壁面材と、
前記２つの波板鋼板の一端部を連結する連結部材と、
を備えており、
前記連結部材として、前記２つの波形鋼板の下部が固定されて、当該２つの波形鋼板の下部を連結する下部連結部材があり、
当該下部連結部材は、前記床上に前記引戸用開口部の下縁に亘って取り付けられており、さらに前記床上に設けられる床仕上げ材と同じ厚さであることを特徴とする引戸の戸袋。
【請求項２】
請求項１に記載の引戸の戸袋において、
前記２つの波板鋼板の一端部を連結する連結部材として、
戸袋奥側に設けられるとともに縦方向に配置され、前記２つの波形鋼板の戸袋奥側端部を連結する縦連結部材と、
前記２つの波形鋼板の上部が固定されて、当該２つの波形鋼板の上部を連結する上部連結部材と、があることを特徴とする引戸の戸袋。
【請求項３】
請求項１または２に記載の引戸の戸袋において、
前記波形鋼板は、複数の一定の平面幅を有する山部と複数の一定の平面幅を有する谷部とから構成され、縦方向に山部および谷部が延びるように配置され、前記壁面材と前記山部とが面で接していることを特徴とする引戸の戸袋。
【請求項４】
請求項３に記載の引戸の戸袋において、
前記波形鋼板の山部と前記壁面材とは、縦方向および横方向において、それぞれ複数個所において、ビスで固定されていることを特徴とする引戸の戸袋。
【請求項５】
床上に間仕切り壁を組むことで、当該間仕切り壁に矩形の引戸用開口部を形成し、
前記引戸用開口部の一部に、連結部材と、この連結部材を挟んで連結部材に取付けられる波板鋼板とを有する戸袋本体を設け、前記波板鋼板上に壁面材を取り付ける際に、
前記連結部材として、前記波形鋼板の下部が固定されるとともに前記床上に前記引戸用開口部の下縁に亘って取り付けられており、さらに前記床上に設けられる床仕上げ材と同じ厚さである下部連結部材を用いることを特徴とする引戸の戸袋の施工方法。
【発明の詳細な説明】
【技術分野】
【０００１】
本発明は、引戸の戸袋および引戸の戸袋の施工方法に関する。
【背景技術】
【０００２】
従来、引戸の戸袋の内部構造は軸組みで作成され、強度が確保されていた。例えば、図８に示す戸袋用フレーム１００は、少なくとも縦枠部となる縦芯材１０１Ａ、１０１Ｂと上端芯材１０２と下端芯材１０３から構成される。ここで、縦芯材１０１Ｂは、２つの縦芯材要素１０１ａ，１０１ｂが離間して平行に設けられ、引戸を収納するための開口部が形成されていた。そして、矩形状の戸袋用フレーム１００の内側に配置され、戸袋用フレーム１００の中央部において戸袋用フレーム１００の上下と接合される縦方向に長尺な縦芯材１０４が設けられ、前記縦芯材１０４と戸袋用フレーム１００とを横方向に接合する複数の横芯材１０５が設けられた軸組構造において、戸袋の強度を確保していた。そして、戸袋用フレームと縦芯材等に壁面材等が取付けられて、引戸の戸袋が作成されていた。
【先行技術文献】
【特許文献】
【０００３】
【特許文献１】特開２００４−２３８９２３号公報
【発明の概要】
【発明が解決しようとする課題】
【０００４】
しかし、引戸の戸袋を軸組みで作成する方法においては、戸袋用フレーム１００内に複数の縦芯材１０４および複数の横芯材１０５を個々に取付ける必要があるため、手間を要していた。更に、引戸を収納する収納部１０６は、壁面材間の狭い空間に設けられ、互いに対向する縦芯材１０４．１０４間と互いに対向する横芯材間１０５，１０５とで形成されるため、縦芯材１０４と横芯材１０５の取付けに高い精度が要求されていた。
【０００５】
そのため、強度を保ちつつ容易に作成できる引戸の戸袋および引戸の戸袋の施工方法を提供することが望まれる。
【０００６】
本発明は、強度を保ちつつ容易に作成できる引戸の戸袋および引戸の戸袋の施工方法を提供することを目的とする。
【課題を解決するための手段】
【０００７】
上記課題の少なくとも一つを解決するために、請求項１に記載の引戸の戸袋に係る発明は、例えば、図１、図２に示すように、床２３上に組まれた間仕切り壁に矩形の引戸用開口部２５が形成され、当該引戸用開口部２５の一部に設けられる引戸の戸袋において、
互いに平行に離間して対向配置された２つの波形鋼板１ａと、
前記２つの波形鋼板１ａの外側に設けられた壁面材３と、
前記２つの波板鋼板１ａの一端部を連結する連結部材と、
を備えており、
前記連結部材として、前記２つの波形鋼板１ａの下部が固定されて、当該２つの波形鋼板１ａの下部を連結する下部連結部材７があり、
当該下部連結部材７は、前記床２３上に前記引戸用開口部２５の下縁に亘って取り付けられており、さらに前記床２３上に設けられる床仕上げ材２４と同じ厚さであることを特徴とする。
【０００８】
請求項１に記載の発明によれば、互いに平行に離間して対向配置された２つの波形鋼板１ａと、前記２つの波形鋼板１ａの外側に設けられた壁面材３とを備えることにより、波形鋼板１ａの強度を戸袋に利用でき、戸袋を軸組みで作成する必要がなくなるため、強度を保ちつつ容易に作成できる引戸の戸袋を提供できる。
また、下部連結部材７によって前記２つの波板鋼板１ａ，１ａの一端部を連結することにより、２つの波板鋼板１ａ，１ａの間隔を一定にすることができるため、引戸の厚みに合わせて、２つの波板鋼板１ａ，１ａの間隔を所望の間隔にすることができる。
【０００９】
請求項２に記載の発明は、例えば、図１、図６に示すように、
請求項１に記載の引戸の戸袋において、
前記２つの波板鋼板１ａ，１ａの一端部を連結する連結部材として、
戸袋奥側に設けられるとともに縦方向に配置され、前記２つの波形鋼板１ａ，１ａの戸袋奥側端部を連結する縦連結部材５と、
前記２つの波形鋼板１ａ，１ａの上部が固定されて、当該２つの波形鋼板１ａ，１ａの上部を連結する上部連結部材６と、があることを特徴とする。
【００１０】
請求項２に記載の発明によれば、連結部材５，６によって前記２つの波板鋼板１ａ，１ａの一端部を連結することにより、２つの波板鋼板１ａ，１ａの間隔を一定にすることができるため、引戸の厚みに合わせて、２つの波板鋼板１ａ，１ａの間隔を所望の間隔にすることができる。
【００１１】
請求項３に記載の発明は、例えば、図１〜図３に示すように、
請求項１または２に記載の引戸の戸袋において、
前記波形鋼板１ａ，１ａは、複数の一定の平面幅を有する山部１ｃと複数の一定の平面幅を有する谷部１ｄとから構成され、縦方向に山部１ｃおよび谷部１ｄが延びるように配置され、前記壁面材３と前記山部１ｃとが面で接していることを特徴とする。
【００１２】
請求項３に記載の発明によれば、複数の一定の平面幅を有する山部１ｃと複数の一定の平面幅を有する谷部１ｄとから構成され、縦方向に山部１ｃおよび谷部１ｄが延びるように配置され、前記壁面材３と前記山部１ｃとが面で接していることにより、縦方向における戸袋の強度を特に強くすることができ、山部１ｃと壁面材３との接触面が横方向に広くなるため、ビス８等により壁面材３を波形鋼板１ａに容易に固定できる。
【００１３】
請求項４に記載の発明は、例えば、図１、図４に示すように、
請求項３に記載の引戸の戸袋において、
前記波形鋼板１ａ，１ａの山部１ｃと前記壁面材３とは、縦方向および横方向において、それぞれ複数個所において、ビス８で固定されていることを特徴とする。
【００１４】
請求項４に記載の発明によれば、前記波形鋼板１ａ，１ａの山部１ｃと前記壁面材３とが、縦方向および横方向において、それぞれ複数個所において、ビス８で固定されていることにより、前記波形鋼板１ａ，１ａの山部１ｃが複数個所においてビス８で壁面材３側に引き付けられて固定されるため、波形鋼板１ａ，１ａが戸袋内部において移動することがなく、戸袋の収納空間を確実に確保することができる。
【００１５】
請求項５に記載の引戸の戸袋の施工方法に係る発明は、例えば、図６、図７に示すように、
床２３上に間仕切り壁を組むことで、当該間仕切り壁に矩形の引戸用開口部２５を形成し、
前記引戸用開口部２５の一部に、連結部材５，６，７と、この連結部材５，６，７を挟んで連結部材５，６，７に取付けられる波板鋼板１ａ，１ａとを有する戸袋本体を設け、前記波板鋼板１ａ，１ａ上に壁面材３を取り付ける際に、
前記連結部材として、前記波形鋼板１ａの下部が固定されるとともに前記床２３上に前記引戸用開口部２５の下縁に亘って取り付けられており、さらに前記床２３上に設けられる床仕上げ材２４と同じ厚さである下部連結部材７を用いることを特徴とする。
【００１６】
請求項５に記載の発明によれば、前記引戸用開口部２５の一部に、連結部材と、この連結部材を挟んで連結部材に取付けられる波板鋼板１ａ，１ａとを有する戸袋本体を設け、前記波板鋼板１ａ，１ａ上に壁面材３を取り付けることにより、波形鋼板１ａ，１ａによる強度を戸袋に利用でき、戸袋を軸組みで作成する必要がなくなるため、強度を保ちつつ容易に作成できる引戸の戸袋を作成できる。
【発明の効果】
【００１７】
本発明によれば、強度を保ちつつ容易に作成できる引戸の戸袋および引戸の戸袋の施工方法を提供することができる。
【図面の簡単な説明】
【００１８】
【図１】本発明に係る引戸の戸袋の一例を示す図であり、（ａ）は斜視図であり、（ｂ）は図１（ａ）のＡ部の拡大図である。
【図２】同、（ａ）は図１のＩ−Ｉ断面図、（ｂ）は図２（ａ）のＡ部の拡大図である。
【図３】本発明に係る引戸の戸袋の波板パネルの一例を示す図であり、（ａ）は平面図であり、（ｂ）は斜視図である。
【図４】本発明に係る引戸の戸袋の一例を示す図であり、壁面材の取り付け例を示す斜視図である。
【図５】同、図４のＩ−Ｉ断面図である。
【図６】本発明に係る引戸の戸袋を施工する手順の一例を示す図であり、（ａ）は引戸用開口部において縦連結部材と上部連結部材と下部連結部材とを取り付けた状態を示す斜視図、（ｂ）は図６（ａ）の部分拡大図を示し、（ｃ）は図６（ｂ）の拡大部分に取付けられる波板パネルの一例を示す斜視図である。
【図７】同、壁面材と化粧枠の取付け例を示す斜視図である。
【図８】従来の引戸の戸袋の軸組み構造一例を示す図である。
【発明を実施するための形態】
【００１９】
以下、図面を参照して本発明の実施の形態について説明する。
本発明の引戸の戸袋は、パネル工法により構築される建築物の部屋の間仕切りにおいて適用されるものである。
【００２０】
なお、パネル工法とは、壁や床、屋根などの構成要素を予め工場でパネル化し、施工現場でパネルを組み立てて建築物を構築する施工方法である。パネル工法に用いられるパネルは、主に木質パネルであり、縦横の框材を矩形状に組み立てるとともに、矩形枠の内部に補助棧材を縦横に組み付け、框材と補助棧材との両面もしくは片面に、面材を貼設したものである。
【００２１】
＜実施の形態＞
図１、図２において、戸袋１０は、少なくとも、互いに平行に離間して対向配置された２つの波形鋼板１ａと、前記２つの波形鋼板１ａの外側に設けられた壁面材３とを備えている。そして、図１、図６に示すように、戸袋１０は、前記２つの波板鋼板１ａ，１ａの一端部を連結する連結部材として、縦連結部材５と上部連結部材６と下部連結部材７を更に備えている。
【００２２】
図３に示すように、波板パネル１は、波板鋼板１ａと調整材１ｂとで構成されている。図１〜図３に示すように、波板鋼板１ａ，１ａは、複数の一定の平面幅を有する山部１ｃと複数の一定の平面幅を有する谷部１ｄとから構成され、縦方向に山部１ｃおよび谷部１ｄが延びるように配置され、前記壁面材３と前記山部１ｃとが面で接している。波板鋼板１ａの両端部には、山部１ｃの裏面に調整材１ｂが縦方向に延設してビス８で取付けられている。ここで、調整材１ｂは、例えば、合板等の木材からなり、波板鋼板１ａに調整材１ｂを釘で固定してもよい。また、戸袋１０の引戸を収納する開口部側の調整材１ｂには、化粧枠受け９ｂがビス等により取付けられ、化粧枠受け９ｂに化粧枠９ａの一部がはめ込まれるようして取付けられている。
【００２３】
図６（ｂ）に示すように、縦連結部材５は、縦連結部材要素５ａ，５ｂからなる。縦連結部材要素５ａは、壁パネル２０の側面の厚み方向中央に縦方向に接着剤、釘等により固定される。そして、縦連結部材要素５ｂは、縦連結部材要素５ｂに縦方向に接着剤、釘等により固定される。
【００２４】
図６に示すように、上部連結部材６は、上部連結部材要素６ａ，６ｂ，６ｃが吊戸レール６ｄにコ字状に取付けられ構成され、下り壁パネルの下面の厚み方向中央に横方向に延
設して取付けられている。上部連結部材６は、図５に示すように、下り壁パネルのフレーム２１ａにビス８等で取付けられる。ここで、図５に示すように、波板鋼板１ａ，１ａの上部において、波形鋼板１ａの谷部１ｄは、上部連結部材６にビス８が斜め上方を向くようにねじ込まれ取付けられている。吊戸レール６ｄには、ローラ２ａを保持するローラ保持部材２ｂを介して、吊戸２が開閉可能に取付けられている。
【００２５】
下部連結部材７は、上部連結部材６の真下の床２３上に上部連結部材６と平行な下部連結部材７が取り付けられている。ここで、図５に示すように、波板鋼板１ａ，１ａの下部において、波形鋼板１ａの谷部１ｄは、下部連結部材７にビス８が斜め下方を向くようにねじ込まれ取付けられている。下部連結部材７は、床仕上げ材２４と同じ厚さであることが床面の段差をなくす点で望ましい。
【００２６】
縦連結部材５と上部連結部材６と下部連結部材７とに波板パネル１を取付けると、波板パネル１の山部１ｃの平面と壁パネル２０平面とが横方向において同一面となるように取付けられている。また、波板パネル１の山部１ｃの平面と下り壁パネル２１の平面とが縦方向において同一面となるように取付けられている。そのため、図７に示すように、壁面材３を壁パネル２０にビス８で取り付け、壁面材３を波板パネル１と下り壁パネル２１にビス８で取り付けた場合、互いに隣り合う壁面材３の接合部に段差が生じることがない。また、図４に示すように、前記波形鋼板１ａ，１ａの山部１ｃと前記壁面材３とは、縦方向および横方向において、それぞれ複数個所において、ビス８で固定されている。ここで、波板鋼板１ａ，１ａ上に壁面材３を複数のビス８で取り付ける場合、壁面材３および波板鋼板１ａに穴を開けて、壁面材３側に波板鋼板１ａが引き付けられて固定されるため、ドリルビスを用いるのが望ましい。
【００２７】
本実施の形態によれば、互いに平行に離間して対向配置された２つの波形鋼板１ａと、前記２つの波形鋼板１ａの外側に設けられた壁面材３とを備えることにより、波形鋼板１ａの強度を戸袋に利用でき、戸袋を軸組みで作成する必要がなくなるため、強度を保ちつつ容易に作成できる引戸の戸袋を提供できる。
【００２８】
また、本実施の形態によれば、連結部材５，６，７により前記２つの波板鋼板１ａ，１ａの一端部を連結することにより、２つの波板鋼板１ａ，１ａの間隔を一定にすることができるため、引戸の厚みに合わせて、２つの波板鋼板１ａ，１ａの間隔を所望の間隔にすることができる。
【００２９】
また、本実施の形態によれば、複数の一定の平面幅を有する山部１ｃと複数の一定の平面幅を有する谷部１ｄとから構成され、縦方向に山部１ｃおよび谷部１ｄが延びるように配置され、前記壁面材３と前記山部１ｃとが面で接していることにより、縦方向における戸袋の強度を特に強くすることができ、山部１ｃと壁面材３との接触面が横方向に広くなるため、ビス８等により壁面材３を波形鋼板１ａに容易に固定できる。
【００３０】
また、本実施の形態によれば、前記波形鋼板１ａ，１ａの山部１ｃと前記壁面材３とが、縦方向および横方向において、それぞれ複数個所において、ビス８で固定されていることにより、前記波形鋼板１ａ，１ａの山部１ｃが複数個所においてビス８で壁面材３側に引き付けられて固定されるため、波形鋼板１ａ，１ａが戸袋内部において移動することがなく、戸袋の収納空間を確実に確保することができる。
【００３１】
（引戸の戸袋の施工方法）
図６、図７に示すように、矩形状の壁パネル２０，２０の間に壁パネル２０より縦方向に短い矩形状の下り壁パネル２１を接着剤、釘等で接合して床２３上に間仕切り壁を組むことで、前記下り壁パネル２１の下方に矩形の引戸用開口部２５を形成する。そして、前記引戸用開口部２５に面した前記壁パネル２０の側面の厚み方向中央に、縦連結部材５を縦方向に取り付ける。更に、前記下り壁パネル２１の下面の厚み方向中央に、上部連結部材６を横方向に取り付け、前記上部連結部材６の真下の床上に前記上部連結部材６と平行な下部連結部材７を取り付ける。前記縦連結部材５と前記上部連結部材６と前記下部連結部材７とを挟み込むように波板パネル１を接着剤、ビス８等で固定する。前記縦連結部材５と波板パネル１の調整材１ｂには接着剤を塗布して接着する。前記上部連結部材６と前記下部連結部材７とに波板鋼板１ａの谷部１ｄをビス８で固定する。そして、波板鋼板１ａ，１ａおよび調整材１ｂ上に壁面材３を複数のビス８で取り付ける。波板鋼板１ａ，１ａ上に壁面材３を複数のビス８で取り付ける場合、壁面材３および波板鋼板１ａに穴を開けて、壁面材３側に波板鋼板１ａが引き付けられて固定されるため、ドリルビスを用いるのが望ましい。
【００３２】
本実施の形態によれば、前記引戸用開口部２５において、前記縦連結部材５と前記上部連結部材６と下部連結部材７とを取り付け、前記縦連結部材５と前記上部連結部材６と前記下部連結部材７とを挟み込むように波板鋼板１ａ，１ａを固定し、前記波板鋼板１ａ，１ａ上に壁面材３を取り付けることにより、波形鋼板１ａ，１ａによる強度を戸袋に利用でき、戸袋を軸組みで作成する必要がなくなるため、強度を保ちつつ容易に作成できる引戸の戸袋を作成できる。
【００３３】
（変形例）
上記実施の形態では、前記引戸用開口部２５に面した前記壁パネル２０の側面の厚み方向中央に、縦連結部材５を縦方向に取り付け、前記下り壁パネル２１の下面の厚み方向中央に、上部連結部材６を横方向に取り付け、前記上部連結部材６の真下の床上に前記上部連結部材６と平行な下部連結部材７を取り付けた例について説明した。これに限らず、工場で、前記縦連結部材５と前記上部連結部材６と前記下部連結部材７をコ字状に連結部材として作成し、現場で、引戸用開口部２５に前記連結部材を取付けるようにしてもよい。また、工場で、前記縦連結部材５と前記上部連結部材６と前記下部連結部材７のうち少なくとも一つを挟み込むように波板パネル１を設けた戸袋本体を作成し、現場で、引戸用開口部２５に戸袋本体を取付けるようにしてもよい。
【００３４】
上記変形例においても、波形鋼板１ａ，１ａによる強度を戸袋に利用でき、戸袋を軸組みで作成する必要がなくなるため、強度を保ちつつ容易に作成できる引戸の戸袋を作成できる。
【符号の説明】
【００３５】
１     波板パネル
１ａ   波形鋼板
１ｃ   山部
１ｄ   谷部
３     壁面材
５     縦連結部材
６     上部連結部材
７     下部連結部材
８     ビス
１００ 戸袋用フレーム
１０１Ａ      縦芯材
１０２ 上端芯材
１０３ 下端芯材
１０４ 縦芯材
１０５ 横芯材
１０６ 収納部
【図１】
0005662226.tif 000002
【図２】
0005662226.tif 000003
【図３】
0005662226.tif 000004
【図４】
0005662226.tif 000005
【図５】
0005662226.tif 000006
【図６】
0005662226.tif 000007
【図７】
0005662226.tif 000008
【図８】
0005662226.tif 000009